(57)【要約】【課題】チャプタ生成機能とそのチャプタ管理情報を有効に活用することができるようにした装置及び方法を提供する。【解決手段】実施形態は、タグリストを生成するために制御部ブロックは、チャプタ情報管理部のチャプタ情報に基づいてチャプタの先頭からの再生、スキップダウン再生、及びスキップアップ再生を選択的に行う。また前記スキップダウン再生とスキップアップ再生の各指令信号に応答し前記コンテンツを再生し、到達するチャプタの時間情報に対応したタグ関連情報をそれぞれ生成し、生成したタグ関連情報を、データ管理サーバに出力する。複数の前記タグ関連情報は、タグ識別情報と、映像の始めと終わりの時間を指定した映像期間指定時間情報として定義されている、さらに前記データ管理サーバに保存されている情報であって、前記タグ関連情報とは異なる他のタグ関連情報を取得する。【選択図】図１
2015062151.tif 000002
【特許請求の範囲】
【請求項１】
指定されたコンテンツのチャプタ再生を行うチャプタ再生処理部と、チャプタ情報管理部と、タグリスト管理部を含む制御ブロックを有し、
タグリストを生成するために前記制御部ブロックは、
ユーザ端末からの各指令信号に応じて、前記チャプタ情報管理部のチャプタ情報に基づいてチャプタの先頭からの再生、スキップダウン再生、及びスキップアップ再生を選択的に行う手段と、
前記スキップダウン再生とスキップアップ再生の各指令信号に対応して前記コンテンツを再生して、到達するチャプタの時間情報に対応したタグ関連情報をそれぞれ生成する手段と、
生成したタグ関連情報を、ネットワーク制御部を介してデータ管理サーバに出力する手段と、ここで、複数の前記タグ関連情報は、タグ識別情報と、映像の始めと終わりの時間を指定した映像期間指定時間情報として定義されている、
前記データ管理サーバに保存されている情報であって、前記タグ関連情報とは異なる他のタグ関連情報を取得する手段と、
を有した録再装置。
【請求項２】
前記他のタグ関連情報に基づいて対応するタイトルの再生を行う手段を有する請求項1記載の録再装置。
【請求項３】
前記他のタグ関連情報を取得する手段は、前記生成する手段からデータ管理サーバに出力された前記タグ関連情報も取得する、請求項１記載の録再装置。
【請求項４】
指定されたコンテンツのチャプタ再生を行うチャプタ再生処理部と、チャプタ情報管理部と、タグリスト管理部を含む制御ブロックを有し、
タグリストを生成するために前記制御部ブロックは、
ユーザ端末からの各指令信号に応じて、前記チャプタ情報管理部のチャプタ情報に基づいてチャプタの先頭からの再生、スキップダウン再生、及びスキップアップ再生を選択的に行い、
前記スキップダウン再生とスキップアップ再生の各指令信号に対応して前記コンテンツを再生して、到達するチャプタの時間情報に対応したタグ関連情報をそれぞれ生成することができ、生成したタグ関連情報を、ネットワーク制御部を介してデータ管理サーバに出力し、ここで、複数の前記タグ関連情報は、タグ識別情報と、映像の始めと終わりの時間を指定した映像期間指定時間情報として定義されている、
前記データ管理サーバに保存されている情報であって、前記タグ関連情報とは異なる他のタグ関連情報を取得する、手順を有した、
録再装置の制御方法。
【請求項５】
前記他のタグ関連情報に基づいて対応するタイトルの再生を行う手順を有する請求項４記載の録再装置の制御方法。
【請求項６】
前記他のタグ関連情報を取得する手順は、前記タグ関連情報を生成する手順からデータ管理サーバに出力された前記タグ関連情報も取得することも含む、請求項４記載の録再装置の制御方法。
【請求項７】
指定されたコンテンツのチャプタの再生指示を行う処理部を有し、チャプタ情報管理部とタグリスト管理部を含む制御ブロックを有しネットワーク制御部を介して外部のデータ管理サーバにタグリストを構築するためのタグ関連情報を送信する録再装置を制御する制御装置であって、ここで、前記タグ関連情報は、タグ識別情報と、始めの映像の時間と終わりの映像の時間を指定した映像期間指定時間情報として定義されている、
前記録再装置に対して、所望のタイトルの再生コマンドを送信する手段と、
所望のタイトルのコンテンツの再生途中で、一時停止操作に基づき一時停止指令信号を送信する手段と、
前記録再装置から一時停止状態に移行した応答信号を受けてからスキップダウン指令信号を送信する手段と、
前記録再装置からチャプタ時間情報に対応するタグ関連情報が検出されたとき、スキップアップ指令信号を送信する手段と、
次のタグ関連情報を検出したとき、再度スキップアップ指令信号を送信する手段と、
前記データ管理サーバに保存されている情報であって、前記録再装置から送られた前記タグ関連情報とは異なる外部タグ関連情報を前記録再装置に受け取り保存せしめる手段と、
を具備する録再装置の制御装置。
【請求項８】
前記外部タグ関連情報を前記録再装置に受け取り保存せしめる手段は、前記録再装置から前記データ管理サーバに送られた前記タグ関連情報も保存せしめることも含む、請求項７記載の録再装置の制御装置。
【請求項９】
指定されたコンテンツのチャプタの再生指示を行う処理部を有し、チャプタ情報管理部とタグリスト管理部を含む制御ブロックを有しネットワーク制御部を介して外部のデータ管理サーバにタグリストを構築するためのタグ関連情報を送信する録再装置を制御する制御方法であって、ここで、前記タグ関連情報は、タグ識別情報と、始めの映像の時間と終わりの映像の時間を指定した映像期間指定時間情報として定義されている、
前記録再装置に対して、所望のタイトルの再生コマンドを送信する手順と、
所望のタイトルのコンテンツの再生途中で、一時停止操作に基づき一時停止指令信号を送信する手順と、
前記録再装置から一時停止状態に移行した応答信号を受けてからスキップダウン指令信号を送信する手順と、
前記録再装置からチャプタ時間情報に対応するタグ関連情報が検出されたとき、スキップアップ指令信号を送信する手順と、
次のタグ関連情報を検出したとき、再度スキップアップ指令信号を送信する手順と、
前記データ管理サーバに保存されている情報であって、前記録再装置から送られた前記タグ関連情報とは異なる外部タグ関連情報を前記録再装置に受け取り保存せしめる手順と、
を備える、録再装置の制御方法。
【請求項１０】
前記外部タグ関連情報を前記録再装置に受け取り保存せしめる手順は、前記録再装置から前記データ管理サーバに送られた前記タグ関連情報も保存せしめることも含む、請求項９記載の録再装置の制御方法。
【発明の詳細な説明】
【技術分野】
【０００１】
実施形態は、録再装置、録再装置の制御方法、録再装置の制御装置に関する。
【背景技術】
【０００２】
従来の情報記録再生装置には、ユーザに対してディスクに記録されている内容を短時間で把握させるために、チャプタ管理情報に基づいてコンテンツのチャプタ再生を実行する機能がある。
【先行技術文献】
【特許文献】
【０００３】
【特許文献１】特許第２６１５６１７号公報
【発明の概要】
【発明が解決しようとする課題】
【０００４】
本実施形態は、チャプタ生成機能とそのチャプタ管理情報を有効に活用することができるようにした録再装置、録再装置の制御方法、録再装置の制御装置を提供することを目的とする。
【課題を解決するための手段】
【０００５】
実施形態によれば、実施形態は、タグリストを生成するために制御部ブロックは、チャプタ情報管理部のチャプタ情報に基づいてチャプタの先頭からの再生、スキップダウン再生、及びスキップアップ再生を選択的に行う。また前記スキップダウン再生とスキップアップ再生の各指令信号に応答し前記コンテンツを再生し、到達するチャプタの時間情報に対応したタグ関連情報をそれぞれ生成し、生成したタグ関連情報を、データ管理サーバに出力する。複数の前記タグ関連情報は、タグ識別情報と、映像の始めと終わりの時間を指定した映像期間指定時間情報として定義されている、さらに前記データ管理サーバに保存されている情報であって、前記タグ関連情報とは異なる他のタグ関連情報を取得する。
【図面の簡単な説明】
【０００６】
【図１】実施形態の構成例を示すブロック図である。
【図２】前記実施形態の動作例を説明するために録再装置のチャプタスキップ動作と外部端末が情報取得を行うときの関係を示す図である。
【図３】前記実施形態の動作例を説明するために録再装置の情報送信動作と外部端末がコマンド送信及び情報取得を行うときの関係を示す図である。
【図４】他の実施形態の動作例を説明するために録再装置の情報送信動作と外部端末がコマンド送信及び情報取得を行うときの関係を示す図である。
【図５】他の実施形態の構成例を示すブロック図である。
【発明を実施するための形態】
【０００７】
以下、実施の形態について図面を参照して説明する。図１において、１０００は録再装置であり、この録再装置１０００は、単独であってもよいし、テレビジョン受信装置と接続されていてもよい。１００１は、録再装置を操作するためのリモートコントローラ（以下単にリモコンと称する）である。
【０００８】
リモコン１００１からの操作信号は、ユーザ操作入力部１００により受信され、制御ブロック２００内の制御部（メインコントローラ）２１２で解釈される。リモコン１００１からの操作信号が電源をオンするコマンドであれば、プラグ１３０が接続された電源モジュール１３１が起動する。これにより、録再装置１０００は主電源オン状態となる。なおリモコン信号受信などのため補助電源は常時オン状態に設定されている。
【０００９】
リモコン１００１からの操作信号が、放送信号から番組選択を行うコマンドであったとする。アンテナ１０１からの高周波信号がチューナ１０２に入力されており、チューナ１０２は指定され番組の信号を受信し、復調し、AV信号処理部１０３に供給する。AV信号処理部１０３は、入力した信号に対して各種の信号処理（走査線数変換、解像度変換、輝度補正、色相調整、ノイズ低減処理など）を選択的に行い、出力信号をモニタ４００に供給する。
【００１０】
制御ブロック２００は、GUI（グラフィックユーザインターフェース）処理部２１１、EPG（電子番組案内）情報処理部２３０を有する。EPG情報処理部２３０は、ネットワーク或いはチューナ１０２を介して、電子番組案内情報を取得することができる。取得された電子番組案内情報は、例えばメモリ１２０に格納される。この電子番組案内情報は、適宜更新される。ユーザが番組表を見たいときは、リモコン１００１を操作し、メニューを要求する。制御部２１２は、メニュー要求があったことを解析し、GUI処理部２１１に対してメニュー映像の出力を指令する。GUI処理部２１１は、例えばメモリ部１２０のメニュー映像データを読み出し、AV信号処理部１０３に供給する。これにより、モニタ４００にはメニュー画像が表示される。メニュー画像には、番組表表示の項目（アイコン）がある。ユーザがカーソル操作を行い、番組表表示の項目（アイコン）を選択し、決定ボタンを押すと、GUI処理部２１１は、メモリ１２０から電子番組案内情報を読出し、AV信号処理部１０３に供給する。AV信号処理部１０３は、入力した電子番組案内情報を処理し、番組表として出力し、モニタ４００に供給する。これによりモニタ４００には、番組表が表示される。ユーザは、番組表上でカーソルの移動操作を行い、希望の番組名（アイコン）を選択し、決定ボタンを押すと、当該番組の受信及び表示が行われる。
【００１１】
番組を録画予約する場合も、ユーザは、録画予約の操作キーを操作する。すると上記したように番組表がモニタ４００に表示されるので、ユーザは、番組表上でカーソルの移動操作を行い、希望の番組を指定し、決定ボタンを操作する。これにより、希望の番組の録画予約が可能である。またこのとき録画先の記憶メディアを指定することができる。記憶メディアとしては、光ディスク（DVD,ブルーレイディスク）１１２、ハードディスク１１４、メモリカード１１７などを指定可能である。光ディスク１１２に対する信号の録再が行われるときは、制御ブロック２００、ディスクドライブユニット１１１とAV信号処理部１０３とが連携して動作する。ハードディスク１１４に対する信号の録再が行われるときは、制御ブロック２００、ハードディスクドライブユニット１１３とAV信号処理部１０３とが連携して動作する。メモリカード１１７に対する信号の録再が行われるときは、制御ブロック２００、リーダライタ１１５とAV信号処理部１０３とが連携して動作する。
【００１２】
上記した記憶メディアのアクセス制御が行われ、再生処理が行われるときは、制御ブロック２００内の再生制御処理部２１４が統括的な動作を行う。録画処理が行われるときは、制御ブロック２００内の録画制御処理部２１５が統括的な動作を行う。例えば、AV信号処理部１０３と、ディスクドライブユニット１１１又はハードディスク１１４又はリーダライタ１１５の動作タイミングの制御などである。再生や録画が行われるとき、再生処理部２１４、録画制御部２１５は、設定モード処理部２１６で設定されている再生モードや録画モードに応じて再生或いは録画を制御する。設定モードとは、再生に関しては、倍速再生、解像度の変更、アスペクト比の設定、録画に関しては解像度の設定、録画速度モードの設定がある。
【００１３】
さらに制御ブロック２００は、自動チャプタ生成部２２１、チャプタ編集処理部２２２、タイトル及びチャプタ再生処理部２２４、チャプタ情報管理部２２４を含む。またタグリスト管理部２２５も含む。
【００１４】
自動チャプタ生成部２２１は、コンテンツ内の任意の位置（例えば、コマーシャルの始まりと終わりの位置、あるいは一定時間毎の位置）に区切り位置としてのチャプタ区切り情報を設定する事ができる。具体的には、例えばコマーシャルの始まりと終わりの位置を、それぞれ番組の開始からの経過時間情報として、作成する。この経過時間情報（チャプタ情報）は、チャプタをつけたタイトル名とともにチャプタ情報管理部２２４により整理されテーブル化される。そしてチャプタ情報は、例えばタイトル名とともにメモリ部１２０に保存される。
【００１５】
自動チャプタ生成部２２１において、チャプタが生成されるケースとしては、放送信号を受信しているときに受信している番組（コンテンツ）を録画しながらチャプタを生成する場合、あるいは一旦受信して記録媒体に記録した番組（コンテンツ）を再生しながらチャプタを生成する場合がある。いずれの場合も、チャプタ情報を生成する場合は、ユーザがリモコン或いはメニュー画面を介して、チャプタ自動生成の指定を行う。このチャプタの自動生成モードが設定されているか否かは、設定モード処理部２１６により管理されている。ユーザは、チャプタを編集することも可能である。例えばメニュー画面の中でチャプタ編集項目が選択されると、制御ブロック２００に含まれているチャプタ編集処理部２２２が起動する。チャプタ編集処理部２２２は、チャプタ情報が作成されているタイトル名をモニタ４００が表示するようにメモリ部１２０を制御する。タイトルがユーザにより指定されると、当該タイトルのチャプタ情報を参照して、例えばチャプタの先頭と終わりのサムネイルを作成して、モニタ４００が表示するように、記録媒体及びAV信号処理部１
０３、メモリ部１２０などを制御する。これによりユーザはモニタ４００を見ながらカーソルによりサムネイルを指定し、チャプタを指定し、削除する、あるいは合体するなどの編集を行うことが可能である。
【００１６】
さらに制御ブロック２００は、タグリスト管理部２２５も有する。タグは、例えば始めと終わりの時間の映像期間指定時間情報として定義される。短時間の映像期間としては、例えば1フレーム期間でも良いし、数１０フレーム期間でもよい。この期間はこのような短時間ものに限定される必要は無い。
【００１７】
タグ情報の作成方法は各種可能である。例えば、タグ識別名（タグリスト名として利用されても良いし、チャプタ名或いは独自にテキスト入力された識別名でもよい）とタグの作成間隔（時間間隔）を指定する方法がある。さらには、１つのタグの始めと終わりの時間間隔を指定することも可能である。またチャプタ情報を利用して、チャプタの先頭にタグを作成する方法もある。タグリスト管理部２２５は、このように作成されるタグを収集してタイトル毎のタグリスト情報（複数のタグ情報のペアを含む）を作成する。タグリスト管理部２２５は、作成したタグリストをタグリスト情報としてメモリ部１２０に転送して格納させる。
【００１８】
また制御ブロック２００には、時間情報処理部２３１が設けられている。この時間情報処理部２３１は、後述するユーザ端末７００とこの録再装置１０００との動作上の時間的ずれを補正するために用いられる。
【００１９】
上記の録再装置１０００は、ネットワーク制御部３００を介してネットワーク５００に接続されている。このネットワーク５００には、データ管理サーバ６００が接続されている。また基地局８００が接続されている。基地局８００とユーザ端末７００は、相互通信が可能である。ユーザ端末７００は、例えば携帯電話機として機能する端末である。
【００２０】
データ管理サーバ６００は、ネットワーク上に接続された録画装置１００、ユーザ端末７００などと相互の通信を行うことができる。データ管理サーバ６００は、通知送受信部６０１、タグリスト管理部６０３、データベース６０４を含む。タグリスト管理部６０３は、録再装置１０００から送られてきたタグ情報を例えばタイトル名あるいはチャプタ名とともに管理する。そしてタグリスト情報として、データベース６０４に格納することができる。
【００２１】
なおタグ情報としての形態は、タイトル名、タイトル名の下位の層にタグリスト名が存在する。したがって、1つのタイトルに対して複数のタグリストを生成可能である。例えばユーザAとユーザBは、それぞれ嗜好に応じて独自のタグリストを作成することができる。
【００２２】
ユーザ端末７００は、データ送受信部７７０を含む。またユーザ操作処理部７０１を含む。ユーザ操作により発生した操作信号は、ユーザ操作処理部７０１で把握される。操作のための画面が必要な場合、このユーザ端末７００は、液晶或いはLEDの表示部を有し、操作画面を起動することができる。また操作画面の各種の画像内容、画像提供（画像拡大、縮小など）、画像切り替えなどは、操作入力に応じて端末画面表示処理部７０２により制御される。また電話に関する信号は、電話信号処理部７０３により処理されている。
【００２３】
またユーザ端末７００には、映像編集処理部７１１、時間情報処理部７１２も含まれる。映像編集処理部７１１を用いることにより、ユーザはモニタ４００を見ながら、このユーザ端末７００を用いて、録再装置１０００の記憶メディアから所望のタイトルの映像情報を読出し、編集処理を行うことができる。即ち映像編集処理部７１１は、録再装置１０００に対して、映像編集用のコマンドを送信するアプリケーションを含む。これによりユーザ端末７００は、あたかもリモコン１００１を操作しているかのように利用できる。編集処理によりコンテンツの途中の削除、或いは、他のコンテンツとの結合処理を行うことができる。
【００２４】
ユーザ端末は、設定情報処理部に対して、操作する各種の機器を登録することができる。設定情報に関する処理は、この設定情報処理部が主体となって動作する。また登録している機器を操作するためのアプリケーションがアプリケーションファイルに格納されており、アプリケーション管理部により管理されている。アプリケーション管理部はアプリケーションリストを生成することができる。
【００２５】
時間情報処理部７１２は、編集処理、チャプタ作成などをこのユーザ端末７００を用いて実施するときに、モニタ４００上の画面の画像と、ユーザ端末７００を操作した時点とのずれを検出するために設けられている。例えば、録再装置から出力される画像として画像A,B,C,D,E,F,G,H,I・・・・が出力されているものとする。ユーザは、例えば画像Cの時点で、一時停止操作を送信したものとする。すると、録再装置１０００が一時停止信号を受け取って、解析し、実際に一時停止を行うのは、画像Fが出力されている時点の場合がある。これは、ユーザ端末７００からの送信指令がネットワークを介して送信されていることに起因する。
【００２６】
そこで、このシステムでは、ユーザ端末７００は、一時停止指令信号と共に、絶対時間情報を送信する。一方、録再装置１０００は、一時停止を実施したとき、その応答信号とともに絶対時間情報（一時停止を実施したときの時刻）をユーザ端末７００に送信する。この絶対時間情報は、時間情報処理部２３１で監視されている。絶対時間情報は、例えば共通の現在の時点の時刻情報である。
【００２７】
ユーザ端末７００は、自分の送信した絶対時間情報（一時停止操作した時刻）と、録再装置１０００から送られてきた絶対時間情報（一時停止が実施された時刻）の絶対時間の差から、ユーザ端末７００を操作して、一時停止するまでの時間差情報を知ることができる。そこで、この時間差情報を録再装置１０００に送り、録再装置１０００側で、今後一時停止を行うときは、時間差だけ戻った位置のフレームを一時停止位置の画像として再生して出力する。またチャプタなどの区切り位置としての時間情報を作成する場合、時間差情報を用い、ユーザ端末７００から受けとった絶対時間よりも進んだ位置の時間を用いてチャプタ用の時間情報を作成する。
【００２８】
なお絶対時間は、例えば録再装置１０００、ユーザ端末７００に内蔵されている自動時間あわせ機能を有した時計回路の出力を用いることが好ましい。
【００２９】
上記の説明では、ユーザ端末７００は携帯電話器であるとしたが、パーソナルコンピュータであってもよい。またデータ管理サーバ６００は、パーソナルコンピュータであってもよい。
【００３０】
図２、図３はこの実施形態の動作例を説明するための図である。以下この図２、図３を参しならが動作を説明する。録再装置１０００において、タイトル１のコンテンツのチャプタがすでに作成されているものとする。そしてチャプタ情報（コンテンツの開始位置からの複数の時間位置情報）がチャプタ情報として自動チャプタ生成部２２１により作成されてそのチャプタ情報は、チャプタ情報管理部２２４の管理下で、メモリ部１２０に格納されているものとする。
【００３１】
今、ユーザ端末７００において、メニュー画面からタグ作成アイコンを選択したとする。するとユーザ端末７００の表示部には、連携装置として登録している録再装置１０００又は他の録再装置のリストが表示される。この場合ユーザは、録再装置１０００を選択するものとする。次に、ユーザ端末７００の表示部には、連携装置として登録されているデータ管理サーバ６００などのリストが表示される。ユーザは、データ管理サーバ６００を選択するものとする。
【００３２】
次に、ユーザ端末７００には、タグ生成の対象となる複数のタイトル名が送信され、表示される。これらのタイトルは、録再装置１０００の記憶媒体に記録されているタイトルである。ここでユーザがタイトル１を選択し、タグリスト生成のための指令信号を送信したとする。すると録再装置１０００は、設定モード処理部２１６の設定動作で、タグリスト生成モードに移行する。
【００３３】
次に、ユーザ端末７００から再生コマンドを送信すると（図３のステップSA1,SA2）、タイトル１のコンテンツの再生が開始される（図３のステップSB1）。ここで希望の場面となったときに、ユーザがユーザ端末７００を操作し、一時停止ボタンを操作すると（図３のステップSA3）、一時停止指令信号が録再装置１０００に向けて送信される。これにより録再装置１０００は一時停止状態となる（図３のステップSB2)、その応答信号をユーザ端末７００に送信する。ここでユーザ端末７００は、現在のチャプタは、チャプタ番号(n=0)（チャプタ無し）として、スキップダウン指令信号を送信する（図３のステップSA5）。すると録再装置１０００は、スキップダウン再生（図３のステップSB3）が行われることで最初に到達するチャプタ時間情報（図２のチャプタ１の先頭時間）に対応するタグ情報を生成し、このタグ情報及びタグ識別名（チャプタ名であってもよい）を含むタグ関連情報を、ネットワーク制御部３００を介して外部に送信する（図３のステップSB４）。制御部２１２は、上記のタグ関連情報を送信するときにネットワーク制御部３００を制御する。
【００３４】
タグ関連情報は、データ管理サーバ６００及びユーザ端末７００のいずれか又は双方に送られる。ユーザ端末７００には少なくともタグ関連情報が録再装置１０００から外部に送出されたことの情報は送られてくる。したがって、ユーザ端末７００は、タグ関連情報が録再装置１０００から外部に送出されたことを検知或いは検出することが可能である。
【００３５】
上記のタグ関連情報を受け取ったデータ管理サーバ６００、又はユーザ端末７００は、このタグ関連情報を用いてタグリスト（図２参照）を生成する。即ち、ユーザ端末７００のメモリ、或いは、データ管理サーバ６００のタグリスト管理部６０３では、タイトル１に関してタグリスト１のテーブルを作成し、タグ１（００：００−０：０５秒区間）、として最初のタグ１（n=1）を作成する。次にタグ２に関するタグ関連情報の取得に移る（図３のステップSA6, SA7)。即ち、ユーザ端末７００は、チャプタ番号(n)が処理中のタイトルの最大値になったかどうかを判断し、まだ、最大値に達していないときは、（n+1）番目のチャプタの先頭へアクセスすべきスキップアップ指令信号を録再装置１０００に向けて送信する（図３のステップSA8）。
【００３６】
録再装置１０００は、スキップアップ指令信号を受け取ると、チャプタ２の先頭の手前へジャンプして再生を開始する。先頭からの時間情報（チャプタ区切り情報）が、チャプタ２の時間になると、このチャプタ時間情報に対応するタグ情報を生成し、このタグ情報及びタグ識別名を含むタグ関連情報を、ネットワーク制御部３００を介して外部に送信する（図３のステップSB４）。ジャンプ処理のための方法としては各種可能であり、例えば、高速でコンテンツ内のタイムスタンプを再生して行く方法、あるいはトラックの横切り本数に応じて大まかの予測を行い、ジャンプ先で詳細にタイムスタンプを捕らえる方法などである。
【００３７】
チャプタ２の先頭が検出されると、当該区切りを示す時間情報に対応するタグ情報を生成し、このタグ情報及びタグ識別名を含むタグ関連情報を、ネットワーク制御部３００を介して外部に送信する（図３のステップSB４）。以後、図３のステップSA6-SA7-SA8−SB5−SB4のルーチンが繰り替えされ、最後のチャプタ区切りまで実行される。最後のチャプタ区切り情報は、チャプタ数がチャプタ情報管理部２２４から予め送信されている。
【００３８】
上記の処理により、例えばタイトル１に関するタグリスト１が生成されることになる。タグリスト１がユーザ端末７００に構築された場合、このタグリストは、データ管理サーバ６００に転送されて保存される。またタグリストは、タグリスト生成と同時にユーザ端末７００或いはデータ管理サーバ６００において構築されるとして説明した。しかしこの方法に限らず、最初は、録再装置１０００内部で構築され、完成した後で、データ管理サーバ６００に転送されるようにしてもよい。
【００３９】
上記のように生成され、例えばデータ管理サーバ６００に保存されたタグリストは、上記したユーザ（第1のユーザ）に限らず他のユーザ（第２のユーザ）によっても利用することができる。第２のユーザが、同様なユーザ端末（第２のユーザ端末）を所有し、かつ、上記の録再装置１０００、データ管理サーバ６００などの識別情報を第２のユーザ端末に登録しておけば、第1のユーザと同様に各装置を制御することができる。
【００４０】
例えばデータ管理サーバ６００に格納されているタグリスト１を使用して、録再装置１１０００におけるタイトル１を再生したいと希望することある。このような場合、第２のユーザは、データ管理サーバ６００内のタグリスト管理部６０３からのメニュー情報を取得し、所望のタグリスト（タグリスト１）を選択すると、タグリスト１が録再装置１０００に転送される。そして、タグリスト再生モードを指定して、タグリスト1を指定し、再生指令信号を送ると、録再装置１０００では、タグリスト１に基づく再生が開始される。
【００４１】
このように、本システムでは、ユーザ１が作成したタグリスト１が外部のデータ管理サーバ６００に保存されている。このための他のユーザ２は、自分でタグリストを作成することなく、データ管理サーバ６００をアクセスしてタグリスト１を利用することが可能である。
【００４２】
図４には他の動作例を示すフローチャートを示している。図４のフローチャートと図３のフローチャートで同じ部分には同一符号を付している。図４のフローチャートと図３のフローチャートで異なる部分は、スキップダウン指令信号を送信するときに、同時にタグ間隔情報（ｘ）を送信する点である（ステップSB5-1）。この処理ステップは、多くのチャプタがあると多くのタグが生成されるので、タグの間隔を大きくするために、設けられている。タグ間隔情報としては、奇数番目のチャプタに対応するタグ、或いは偶数番目のチャプタに対応するタグ、或いはジャンプ数を指定して任意の間隔のチャプタに対応するタグの生成を指定する情報がある。他の部分の説明は、先の実施形態と同じであるから詳細な説明は省略する。
【００４３】
図５は、上記実施例で示した装置が採用されている環境の一例を示している。ネットワーク５００は、家庭内ネットワークあるいは外部ネットワークのいずれであっても良い。また各部屋に通じる家庭内LAN５１１が設置されているものとする。部屋Aには、テレビジョン受信装置４００Aが設置され、このテレビジョン受信装置４００Aにはハードディスクドライブを有する録再装置１０００Aが接続されているものとする。また部屋Bには、テレビジョン受信装置４００、録再装置１０００、１００１が設置されているものとする。テレビジョン受信装置４００は、図１で説明したようにもモニタとして活用される。さらに部屋Cには、テレビジョン受信装置４００Cが設置されている。このテレビジョン受信装置４００Cには、ハードディスクドライブを有する録再装置１０００Cが接続されている。また部屋Cには、撮像カメラ１５００が設置されている。
【００４４】
上記の各装置は、家庭内LAN５１１に接続されており、ユーザ端末７００にその装置識別情報が登録されている。したがって、ユーザ端末７００は、希望の装置を識別情報により指定し、指定した装置を操作することができる。ユーザ端末７００は、各部屋にそれぞれ用意されていてもよい。ユーザ端末７００Aは、部屋Aの使用する人が所有し、ユーザ端末７００Bは部屋Bを使用する人が所有し、ユーザ端末７００Bは部屋Cを使用する人が所有してもよい。
【００４５】
さらに家庭内LAN５１１には、家庭内の機器の電源制御、データ送受信のための調停などを行う制御装置６５０が接続されている。
【００４６】
テレビジョン受信装置４００A、４００B、ハードディスクドライブ１００２，１００３、複数の録再装置１０００、１００１、データ管理サーバ６００などの機器識別情報は、ユーザ端末７００に登録されているものとする。したがって、ユーザ端末７００が機器識別情報を指定して、制御用の指令信号を送れば、いずれの機器もコントロールすることができる。例えば、テレビジョン受信装置４００Aの電源オンオフ、チャンネル切り替えなどである。またハードディスクドライブ１００２の操作に関しても、先に説明した録再装置１０００に対する操作と同様な操作を行うことができる。
【００４７】
データ管理サーバ６００は、家屋の外の遠隔地に設置されていてもよく、家屋内に設置されていてもよい。
【００４８】
またユーザ端末７００は、外部の基地局を介して各装置との通信を行う、あるいは、赤外線を媒体として直接テレビジョン受信装置４００と交信することもあるが、ユーザの操作の遅れ、或いは回線網の影響で、ユーザが希望するタグを付す映像と、受信装置或いは録再装置側でタグが付される映像とのずれが生じることがある。このような場合、本実施例であると、上記ずれを防止することができる。すでに得られているチャプタの時間を用いるからである。
【００４９】
上記のような構成であると、タグリストが例えばデータ管理サーバ６００に保存されているとすると、他のユーザは、同様なユーザ端末を用いてアクセスすることができる。
【００５０】
また、ネットワークに接続されている各種機器間での通信方式は各種の方法が開発されており、いずれを用いてもよいし、組み合わせて用いてもよい。また各機器にはIPアドレスが設定され、相互に機器間の認証機能も設けられている。
【００５１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５２】
１００・・・ユーザ操作入力部、１０１・・・チューナ、１０３・・・AV信号処理部、１１１・・・ディスクドライブユニット、１１２・・・光ディスク、１１３・・・ハードディスクドライブユニット、１１４・・・ハードディスク、１１５・・・リーダライタ、１１７・・・メモリカード、１２０・・・メモリ部、２００・・・制御ブロック、２１１・・・GUI処理部、２１２・・・制御部、２１４・・・再生制御処理部、２１５・・・録画制御処理部、２１６・・・設定モード処理部、２２１・・・自動チャプタ生成部、２２２・・・チャプタ編集処理部、２２３・・・タイトル及びチャプタ再生処理部、２２４・・・チャプタ情報管理部、２２５・・・タグ情報管理部、３００・・・ネットワーク制御部、４００・・・モニタ、５００・・・ネットワーク、６００・・・データ管理サーバ、６０１・・・通知送受信部、６０３・・・タグリスト管理部、６０４・・・データベース、７００・・・ユーザ端末、７０１・・・ユーザ操作処理部、７０２・・・端末画面表示処理部、７０３・・・電話信号処理部、７１１・・・映像編集処理部、７１２・・・時間情報処理部、７７０・・・データ送受信部
【図１】
2015062151.tif 000003
【図２】
2015062151.tif 000004
【図３】
2015062151.tif 000005
【図４】
2015062151.tif 000006
【図５】
2015062151.tif 000007